(57)【要約】【課題】周囲温度が低い場合でも、長時間利用することができる携帯端末を提供する。【解決手段】携帯端末１００は、第１の筐体１０１と、第２の筐体１０２と、第１の筐体１０１の一端辺と第２の筐体１０２の一端辺とを接続する蝶番１０３と、第１の筐体１０１の上面および第２の筐体１０２の上面の少なくとも一方に設けられ、情報を表示する表示部１０４と、第１の筐体１０１内に設けられた熱源と、第１の筐体１０１または第２の筐体１０２を、第１の筐体１０１の下面と第２の筐体１０２の下面とが対向するよう蝶番１０３を回転軸として回転させたとき、熱源と近接するよう第２の筐体１０２内に設けられた電池１０７とから構成される。【選択図】      図１
2016010113.tif 000002
【特許請求の範囲】
【請求項１】
第１の筐体と、
第２の筐体と、
前記第１の筐体の一端辺と前記第２の筐体の一端辺とを接続する蝶番と、
前記第１の筐体の上面および前記第２の筐体の上面の少なくとも一方に設けられ、情報を表示する表示部と、
前記第１の筐体内に設けられた熱源と、
前記第１の筐体または前記第２の筐体を、前記第１の筐体の下面と前記第２の筐体の下面とが対向するよう前記蝶番を回転軸として回転させたとき、前記熱源と近接するよう前記第２の筐体内に設けられた電池と
から構成されたことを特徴とする携帯端末。
【請求項２】
第１の筐体と、
第２の筐体と、
前記第１の筐体の一端辺と前記第２の筐体の一端辺とを接続する蝶番と、
前記第１の筐体の上面および前記第２の筐体の上面の少なくとも一方に設けられ、情報を表示する表示部と、
前記第１の筐体内に設けられた熱源と、
前記第１の筐体または前記第２の筐体を、前記第１の筐体の下面と前記第２の筐体の下面とが対向するよう前記蝶番を回転軸として回転させたとき、前記熱源と近接するよう前記第２の筐体内に設けられた電池と、
前記第１の筐体または前記第２の筐体を、前記第１の筐体の下面と前記第２の筐体の下面とが対向するよう前記蝶番を回転軸として回転させたとき、前記熱源および前記電池と近接するよう前記第１の筐体の下面および前記第２の筐体の下面の少なくとも一方に設けられ、当該筐体の熱伝導率より高い熱伝導率を有する高熱伝導部材と
から構成されたことを特徴とする携帯端末。
【請求項３】
前記熱源は、中央処理装置である
ことを特徴とする請求項１または２記載の携帯端末。
【請求項４】
前記電池は、二次電池である
ことを特徴とする請求項１乃至３のいずれかに記載の携帯端末。
【請求項５】
前記二次電池は、リチウムイオン二次電池である
ことを特徴とする請求項４に記載の携帯端末。
【請求項６】
前記高熱伝導部材は、電極である
ことを特徴とする請求項２記載の携帯端末。
【発明の詳細な説明】
【技術分野】
【０００１】
本発明は、携帯端末に関する。
【背景技術】
【０００２】
第１の筐体の一端辺と第２の筐体の一端辺とを蝶番により接続し、蝶番を回転軸として第１の筐体または第２の筐体を回転させることができる構造を有する携帯端末が一般的に知られている。
【０００３】
図７は、このような構造を有する携帯端末の一例である折り畳み型携帯電話１を示す斜視図である。
【０００４】
図７を参照すると、携帯電話１は、文字や画像等を表示するための表示部１０を有する第１の筐体２と、文字や記号等を入力するための入力部２０を有する第２の筐体３と、第１の筐体２の下端辺と第２の筐体３の上端辺とを接続する蝶番３０とから構成され、第１の筐体２または第２の筐体３は蝶番３０を回転軸として回転することができる。
【０００５】
利用者は、携帯電話１を使用するときには、図７に示すように、表示部１０および入力部２０が見える状態になるよう、第１の筐体２または第２の筐体３を、蝶番３０を回転軸として第１の方向に回転させ、携帯電話１を使用する。
【０００６】
その後、利用者は、携帯電話１の使用を終えると、利用者は、第１の筐体２または第２の筐体３を、蝶番３０を回転軸として上記第１の方向とは逆方向である第２の方向に回転させて、第１の筐体２の表示部１０がある面と第２の筐体３の入力部２０がある面とを対向させることにより、表示部１０および入力部２０を隠して携帯電話１を携帯する。
【０００７】
このように、第１の筐体２の表示部１０がある面と第２の筐体３の入力部２０がある面とが対向した状態が、いわゆる、折り畳み状態である。
【０００８】
図７に示す上述した携帯電話１は、さらに、電池（図７には図示せず）と、その電池から電力を供給される各種の回路（図７には図示せず）とを有する。
【０００９】
図８は、上記電池の動作特性を示す図である。
【００１０】
図８は、一般的な電池が所定の電流値で放電している場合に、該電池の出力電圧が時間の経過とともにどのように変化するかを、周囲温度別（２５℃（度）および−２０℃）に示す図である。
【００１１】
図８から明らかなように、周囲温度が低い方が、電池の出力電圧の値が所定の電圧値まで低下する時間が短い。
【００１２】
したがって、周囲温度が低いと、携帯電話１の使用可能時間が短くなるという問題点がある。
【００１３】
係る問題点を解決するために、特許文献１には、電池１０と、発熱する部分１２（熱源）と、部分１２から電池１０へ熱を伝える熱伝導体１４と、部分１２の温度を計測する温度センサ１６とが設けられ、電池１０を加温し過ぎないように部分１２の消費電力を制御する技術が開示されている。
【００１４】
また、特許文献２には、熱的に結合された第１の中央処理装置１（熱源）および電池７における電池７の温度を温度センサ８で測定し、環境温度が低下したときに、測定された温度信号に基づいて中央処理装置１を駆動する第１のクロック発生器５が発生するクロック周波数を低減させ、電池７の温度低下を迅速に防止すると共に電池７の温度を高くする技術が開示されている。
【００１５】
なお、関連技術として、特許文献３には、電池パック保持部１０４により保持された電池パック１０３をスライドさせてパック１０３と装置本体１０１との間に間隙を持たせることにより、中央処理装置１０９からパック１０３への熱を断熱するとともに、中央処理装置１０９の動作周波数を高温モードで動作させる技術が開示されている。
【先行技術文献】
【特許文献】
【００１６】
【特許文献１】特開平８−０１４０２７４号公報
【特許文献２】特許第５０５１６７２号公報
【特許文献３】特開２０００−０３５７０３０号公報
【発明の概要】
【発明が解決しようとする課題】
【００１７】
しかしながら、上述した特許文献１乃至３のいずれにも、特許文献１乃至３に記載の技術を、熱源を有する第１の筐体の一端辺と電池を有する第２の筐体の一端辺とを蝶番により接続し、蝶番を回転軸として第１の筐体または第２の筐体を回転させることができる構造を有するような携帯端末にどのように適用するかについては開示されていない。
【００１８】
本発明の目的は、上述した問題点を解決した携帯端末を提供することにある。
【課題を解決するための手段】
【００１９】
本発明の第１の携帯端末は、
第１の筐体と、
第２の筐体と、
前記第１の筐体の一端辺と前記第２の筐体の一端辺とを接続する蝶番と、
前記第１の筐体の上面および前記第２の筐体の上面の少なくとも一方に設けられ、情報を表示する表示部と、
前記第１の筐体内に設けられた熱源と、
前記第１の筐体または前記第２の筐体を、前記第１の筐体の下面と前記第２の筐体の下面とが対向するよう前記蝶番を回転軸として回転させたとき、前記熱源と近接するよう前記第２の筐体内に設けられた電池と
から構成される。
【００２０】
本発明の第２の携帯端末は、
第１の筐体と、
第２の筐体と、
前記第１の筐体の一端辺と前記第２の筐体の一端辺とを接続する蝶番と、
前記第１の筐体の上面および前記第２の筐体の上面の少なくとも一方に設けられ、情報を表示する表示部と、
前記第１の筐体内に設けられた熱源と、
前記第１の筐体または前記第２の筐体を、前記第１の筐体の下面と前記第２の筐体の下面とが対向するよう前記蝶番を回転軸として回転させたとき、前記熱源と近接するよう前記第２の筐体内に設けられた電池と、
前記第１の筐体または前記第２の筐体を、前記第１の筐体の下面と前記第２の筐体の下面とが対向するよう前記蝶番を回転軸として回転させたとき、前記熱源および前記電池と近接するよう前記第１の筐体の下面および前記第２の筐体の下面の少なくとも一方に設けられ、当該筐体の熱伝導率より高い熱伝導率を有する高熱伝導部材と
から構成される。
【発明の効果】
【００２１】
本発明には、周囲温度が低い場合でも、携帯端末を長時間利用することができるという効果がある。
【図面の簡単な説明】
【００２２】
【図１】第１の実施形態を示す一部透視上面図である。
【図２】第１の実施形態における携帯端末１００の第１の筐体１０１または第２の筐体１０２を第１の回転方向に回転させた状態を示す図である。
【図３】第１の実施形態における携帯端末１００の第１の筐体１０１または第２の筐体１０２を第２の回転方向に回転させた状態を示す図である。
【図４】図２のＡ−Ｂ線断面図である。
【図５】第２の実施形態を示す一部透視上面図である。
【図６】第２の実施形態における携帯端末２００の第１の筐体１０１または第２の筐体１０２を第１の回転方向に回転させた状態を示す断面図である。
【図７】一般的な折り畳み型携帯電話１を示す斜視図である。
【図８】一般的な電池が所定の電流値で放電している場合に、該電池の出力電圧が時間の経過とともにどのように変化するかを、周囲温度別（２５℃および−２０℃）に示す図である。
【発明を実施するための形態】
【００２３】
次に、本発明について図面を参照して詳細に説明する。
【００２４】
＜第１の実施形態＞
まず、本発明の第１の実施形態について説明する。
【００２５】
図１は、本実施形態を示す一部透視上面図である。
【００２６】
図１を参照すると、本実施形態は携帯端末１００から構成され、携帯端末１００は、第１の筐体１０１と、第２の筐体１０２と、蝶番（ヒンジ）１０３とから構成される。
【００２７】
第１の筐体１０１は、第１の筐体１０１の上面に設けられ、文字や画像等の情報を表示するための表示部１０４と、第１の筐体１０１内に設けられた中央処理装置１０５（以下、「ＣＰＵ１０５」と言う。）とを含む。
【００２８】
第２の筐体１０２は、第２の筐体１０２の上面に設けられ、文字や画像等の情報を表示するための表示部１０６と、第２の筐体１０２内に設けられたリチウムイオン二次電池１０７とを含む。
【００２９】
なお、第１および第２の筐体１０１および１０２の材料は、樹脂等である。
【００３０】
ＣＰＵ１０５は、携帯端末１００の動作を制御するとともに、熱源となる。
【００３１】
また、電池１０７は、ＣＰＵ１０５および携帯端末１００における各種の回路に電力を供給する。
【００３２】
蝶番１０３は、第１の筐体１０１の右側の端辺と、第２の筐体１０２の左側の端辺とを接続し、第１の筐体１０１または第２の筐体１０２は、蝶番１０３を回転軸として回転できる。
【００３３】
図２は、第２の筐体１０２を、第１の筐体１０１の下面と第２の筐体１０２の下面とが対向するよう第１の回転方向に回転したときの状態を示す図である。
【００３４】
また、図３は、第２の筐体１０２を、第１の筐体１０１の上面と第２の筐体１０２の上面とが対向するよう第１の回転方向とは逆方向である第２の回転方向に回転したときの状態を示す図である。
【００３５】
また、図４は、図２のＡ−Ｂ線断面図である。
【００３６】
図４を参照すると、第１の筐体１０１内には、基板１０８が設けられ、基板１０８の一方の面には表示部１０４が実装され、基板１０８の他方の面であって、筐体１０１の下面近傍にはＣＰＵ１０５が実装されている。
【００３７】
また、第２の筐体１０２内には、基板１０９が設けられ、基板１０９の一方の面には表示部１０６が実装され、基板１０９の他方の面であって、筐体１０２の下面近傍には電池１０７が実装されている。
【００３８】
図４から分かるように、ＣＰＵ１０５および電池１０７は、第１の筐体１０１または第２の筐体１０２を、第１の筐体１０１の下面と第２の筐体１０２の下面とが対向するよう蝶番１０３を回転軸として回転させたとき、ＣＰＵ１０５と電池１０７とが近接するような第１の筐体１０１および第２の筐体１０２内の位置にそれぞれ設けられている。
【００３９】
このように、筐体１０１の下面と筐体１０２の下面とが対向するようにした場合には、動作中のＣＰＵ１０５から発する高熱が、筐体１０１の下部および筐体１０２の下部を介して電池１０７に効率的に伝導されるため、こうして伝導された熱により、携帯端末１００の周囲温度が低いときにも電池の温度の低下が緩和され、電池の使用可能時間が伸び、結果として、携帯端末１００の利用可能時間が伸びる。
【００４０】
以上、本実施形態には、周囲温度が低い場合でも、携帯端末を長時間利用することができるという効果がある。
【００４１】
その理由は、筐体１０１の下面と筐体１０２の下面とが対向するようにした場合に、筐体１０１内の熱源であるＣＰＵと、筐体１０２内の電池とが近接するようにしたからである。
【００４２】
＜第２の実施形態＞
次に、本発明の第２の実施形態について説明する。
【００４３】
図５は、第２の実施形態を示す一部透視断面図である。
【００４４】
本実施形態は、携帯端末２００から構成される。
【００４５】
図５を参照すると、携帯端末２００の構成は、図１に示す第１の実施形態における携帯端末１００の構成とほぼ同様の構成であり、携帯端末１００の構成要素と同一の携帯端末２００のそれらには同一の参照符号が付与され、以下では、それらの説明は省略される。
【００４６】
携帯端末２００は、第２の筐体１０２の下面に高熱伝導部材２０１を有する。高熱伝導部材２０１は、例えば、充電電極や信号電極であっても良いが、それらに限定されるものではない。また、高熱伝導部材２０１は、筐体１０２の熱伝導率より高い熱伝導率を有する。
【００４７】
図６は、図４に対応する断面図、すなわち、第２の筐体１０２を、第１の筐体１０１の下面と第２の筐体１０２の下面とが対向するよう第１の回転方向に回転したときの状態を示す図である。
【００４８】
図６から分かるように、第２の筐体１０２を、第１の筐体１０１の下面と第２の筐体１０２の下面とが対向するよう第１の回転方向に回転したとき、高熱伝導部材２０１は、熱源であるＣＰＵ１０５と対向する位置に設けられている。
【００４９】
本実施形態において、このように、筐体１０１の下面と筐体１０２の下面とが対向するようにした場合には、動作中のＣＰＵ１０５から発する高熱が、筐体１０１の下部、高熱伝導部材２０１および筐体１０２の下部を介して電池１０７に効率的に伝導されるため、こうして伝導された熱により、携帯端末２００の周囲温度が低いときにも電池の温度の低下が緩和され、電池の使用可能時間が伸び、結果として、携帯端末２００の利用可能時間が伸びる。
【００５０】
なお、高熱伝導部材２０１は、筐体１０１の下面に設けてもよい。
【００５１】
以上、本実施形態には、周囲温度が低い場合でも、携帯端末を長時間利用することができるという効果がある。
【００５２】
その理由は、筐体１０１の下面と筐体１０２の下面とが対向するようにした場合に、筐体１０１内の熱源であるＣＰＵと、筐体１０２内の電池とが高熱伝導部材２０１を介して近接するようにしたからである。
【符号の説明】
【００５３】
１    携帯電話
２    第１の筐体
３    第２の筐体
１０    表示部
２０    入力部
３０    蝶番
１００    携帯端末
１０１    第１の筐体
１０２    第２の筐体
１０３    蝶番
１０４    表示部
１０５    中央処理装置
１０６    表示部
１０７    リチウムイオン二次電池
１０８    基板
１０９    基板
２００    携帯端末
２０１    高熱伝導部材
【図１】
2016010113.tif 000003
【図２】
2016010113.tif 000004
【図３】
2016010113.tif 000005
【図４】
2016010113.tif 000006
【図５】
2016010113.tif 000007
【図６】
2016010113.tif 000008
【図７】
2016010113.tif 000009
【図８】
2016010113.tif 000010